(57)【特許請求の範囲】
【請求項１】
後桟枠と両側桟枠と前桟枠によって囲撓形成された囲撓枠と、この囲撓枠の内側中間部に着脱自在に設けたベッド用底板と、囲撓枠の内側底部に着脱自在に並設した少なくとも大小２枚の収納用底板とからなり、上記一方の側桟枠は２枚の部分側桟枠によって形成され、且つ上記大小２枚の収納用底板は一方の幅に比べ他方の幅を広く形成してあり、上記囲撓枠とベッド用底板及び大小２枚の収納用底板とによってベビーベッドを構成し、且つこのベビーベッドを分解して上記部分側桟枠を所定間隔を以て対峙させると共に、この両部分側桟枠間の片側端に上記側桟枠を横設し、さらに、両部分側桟枠と側桟枠とによってコ状に形成された枠体内の中間部に幅の広い収納用底板を水平に設けるとと共に、もう一方の幅の狭い収納用底板を枠体内の上部に水平に設けてミニ机を構成できるようにしたことを特徴とするミニ机兼用ベビーベッド。
【請求項２】
ベビーベッド又はミニ机の底部に複数のキャスターを設けて、上記ベビーベッド又はミニ机を転動させて移動できるようにした請求項１に記載のミニ机兼用ベビーベッド。
【発明の詳細な説明】
【０００１】
【産業上の利用分野】
本発明は乳児が小さい期間はベビーベッドとして使用し、大きくなってベビーベッドが不要になった時にはミニ机として使用できるミニ机兼用ベビーベッドに関するものである。
【０００２】
【従来の技術】
従来からベビーベッドにも各種のものがあり、乳児を寝かせておくのに使用されている。そして乳児期を過ぎてベビーベッドが不要になると、各家庭では分解して押入れや物置等に入れて保管しているのが現状である。
【０００３】
【発明が解決しようとする課題】
ところが、ベビーベッドは分解しても嵩ばるものであり、押入れや物置等に保管するにも、その収納スペースに苦慮しているのが現状であり、従来からこの不要になったベビーベッドを再利用できないものかと考えられていた。
【０００４】
本発明は上記のような点に鑑みて開発されたものであり、その目的とするところは、通常はベビーベッドとして使用し、ベビーベッドが不要になったときには、誰にでも簡単に組み換えしてミニ机として再利用できるようにしたミニ机兼用ベビーベッドを提供することにある。
【０００５】
【課題を解決するための手段】
そこで、本発明は上記目的を達成するために、次のような構成にしてある。すなわち、後桟枠と両側桟枠と前桟枠によって囲撓形成された囲撓枠と、この囲撓枠の内側中間部に着脱自在に設けたベッド用底板と、囲撓枠の内側底部に着脱自在に並設した少なくとも大小２枚の収納用底板とからなり、上記一方の側桟枠は２枚の部分側桟枠によって形成され、且つ上記大小２枚の収納用底板は一方の幅に比べ他方の幅を広く形成してあり、上記囲撓枠とベッド用底板及び大小２枚の収納用底板によってベビーベッドを構成し、且つこのベビーベッドを分解して上記部分側桟枠を所定間隔を以て対峙させると共に、この両部分側桟枠間の片側端に上記側桟枠を横設し、さらに、両部分側桟枠と側桟枠とによってコ状に形成された枠体内の中間部に幅の広い収納用底板を水平に設けるとと共に、もう一方の幅の狭い収納用底板を枠体内の上部に水平に設けてミニ机を構成できるようにしてある。
【０００６】
また、ベビーベッド又はミニ机の底部に複数のキャスターを設けて、上記ベビーベッド又はミニ机を転動させて移動できるようにした構成である。
【０００７】
【作用】
上記のような請求項１に記載のミニ机兼用ベビーベッドの構成では、通常はベッド内のベッド用底板の部分に乳児を寝かせる。また、乳児が大きくなり、このベビーベッドが不要になった時には、ベビーベッドを構成する後桟枠と両側桟枠と前桟枠とベッド用底板と大小２枚の収納用底板とを一旦除去してベビーベッドを分解する。
【０００８】
そして分解した両部分側桟枠を一定間隔を以て対峙させ、この両部分側桟枠の間の片側端に、もう一方の側桟枠を横設し、この側桟枠と両部分側桟枠とによりコ状の枠体を形成する。さらに、分解した大小２枚の収納用底板の内、幅の広い方の収納用底板を机板として使用するために、上記枠体内の中間部分にこの収納用底板を水平に設ける。さらに、枠体内の上部に、幅の狭い収納用底板を水平に設けて書籍棚等として使用する。
【０００９】
また、キャスターを上記ベビーベッド又はミニ机に設けることによって、所望の場所に簡単に移動させることができる。
【００１０】
【実施例】
以下、本発明に係る実施例を図に基づいて説明する。
図１〜図２は本発明に係る一実施例を示す図であって、図１は本発明に係る一実施例のミニ机兼用ベビーベッドの全体斜視図であり、図２はベビーベッドを組み換えてミニ机とした斜視図である。
【００１１】
このベビーベッド１は、上記後桟枠２と、同形の２枚の部分側桟枠３ａ、３ｂと、側桟枠４と、前桟枠５とによって図示のように囲撓枠９を形成し、この囲撓枠９の内側中間部にベッド用底板６を設けると共に、囲撓枠９の内側底部に大小２枚の収納用底板７ａ、７ｂを並設し、更に囲撓枠９の下部四隅にそれぞれキャスター８を設けたものである。
【００１２】
上記後桟枠２は、長方形状の枠２ａの長手方向に所定間隔を以て多数の桟２ｂを並設したものである。また、上記両部分側桟枠３ａ、３ｂは同一の大きさ、形状のものであり、側桟枠４は上記２枚の部分側桟枠３ａ、３ｂを連設した長さ（奥行き寸法）と同一であり、形状も２枚の部分側桟枠３ａ、３ｂを連設した形状である。
【００１３】
また前桟枠５は、上記後桟枠２と同じ長さ、高さであって、ベビーベッド１を組み立てた時に後桟枠２と所定間隔を以て対峙し、上記部分側桟枠３ｂの前端と、側桟枠４の前端に横設されるものである。この前桟枠５は上部桟枠５ａと下部桟枠５ｂとからなり、上部桟枠５ａ及び下部桟枠５ｂの高さは、上記側桟枠４（及び部分側桟枠３ａ、３ｂ）のほぼ半分の高さである。
【００１４】
この上部桟枠５ａは、長方形状の枠５ｃの内側に長手方向に所定間隔を以て多数の桟部材５ｄを設けたものである。
【００１５】
下部桟枠５ｂの中央部には開閉扉桟枠１２が設けられ、手前に引くことによって開き、任意に開閉できるようにしてある。
【００１６】
上記ベッド用底板６は、囲撓枠９の内周に隣接する矩形状の板部材である。尚、この底板６は強度的に丈夫であれば２枚以上の板部材を使用してもよい。
【００１７】
大小２枚の収納用底板７ａ、７ｂは、矩形状の２枚の板部材であって、両収納用底板７ａ、７ｂ共、長さは側桟枠４と略同じ長さであって、側桟枠４に対し直角に且つ平行にして、後桟枠２と前桟枠５の下部桟枠５ｂとに架けわたすようにして設けられる。また、一方の収納用底板７ａ（大きい方）は、他方の収納用底板７ｂ（小さい方）に比べ幅を広く形成し、机板として利用できる大きさに形成してある。また、小さい方の収納用底板７ｂは、本棚等に利用できるように収納用底板７ａに比べ幅を狭く形成してある。
【００１８】
上記したベビーベッド１を構成する各部材は、ネジ（図示省略）によって接続され、ネジを外すことによって簡単に分解できるようにしてある。また、囲撓枠９の四隅の下端にはキャスター８が設けられ、ベビーベッド１を簡単に移動させることができるようにしてある。
【００１９】
上述のような構成からなるベビーベッド１にあっては、通常はベッドとしてベッド用底板６上に布団等を敷き、その上に乳児を寝かせる。またベッド用底板６の下方の収納用底板７ａ、７ｂには、開閉扉桟枠１２を開けて肌着や小物等の日常雑貨品を収納することができる。
【００２０】
上記のベビーベッド１が不要になった時には、このベビーベッド１を一旦分解した後、図２に示すようなミニ机１４に組み換えて再利用することができる。
【００２１】
すなわち、図１に示すベビーベッド１からベッド用底板６と、両部分側桟枠３ａ、３ｂと、側桟枠４と、前桟枠５と、大小２枚の収納用底板７ａ、７ｂ及び各キャスター８を一旦除去し、上記両部分側桟枠３ａ、３ｂを一定間隔（側桟枠４の長さと同一間隔）を以て対峙させ、この両部分側桟枠３ａ、３ｂの片側端に側桟枠４を横設する。
【００２２】
この側桟枠４と両部分側桟枠３ａ、３ｂとによりコ状の枠体内の中間部に、分解した２枚の収納用底板７ａ、７ｂの内、大きい方の収納用底板７ａを水平に設けて机板を形成する。次にこの枠体内の上部に小さい方の収納用底板７ｂを水平に設けて本棚等を形成する。このようにすることによって簡単にミニ机１４としてベビーベッド１を再利用することができる。
【００２３】
尚、上記ミニ机１４の四隅の下端にキャスターを設けてもよく、キャスターを設けることによって軽く押すだけで簡単に動かすことができる。
【００２４】
【発明の効果】
以上、上記説明でも明らかなように、本発明の請求項１に記載のミニ机兼用ベビーベッドでは、通常はベビーベッドとしてベッド用底板に敷ふとん等を敷いて乳児を寝かせ、本来のベビーベッドとしてに乳児が大きくなるまで使用することができる。
【００２５】
そして乳児が大きくなって、ある時期からこのベビーベッドが不要になった時には、ベビーベッドを分解して必要な部材を再組み立てすることによって棚付きのミニ机として使用することができ、また、各種の雑誌や書籍、小物雑貨の整理棚としても利用できて便利である。
【００２６】
また、キャスターを上記ベビーベッド又はミニ机に設けることによって、簡単に移動させることができる。
【図面の簡単な説明】
【図１】本発明に係る一実施例のベビーベッドの斜視図である。
【図２】本発明に係る一実施例のベビーベッドを組み換えてミニ机とした斜視図である。
【符号の説明】
１  ベビーベッド
２  後桟枠
３ａ  部分側桟枠
３ｂ  部分側桟枠
４  側桟枠
５  前桟枠
６  ベッド用底板
７ａ  大きい収納用底板
７ｂ  小さい収納用底板
８  キャスター
９  囲撓枠
１４  ミニ机
【図１】
0003608631.tif 000002
【図２】
0003608631.tif 000003